(57)【特許請求の範囲】
【請求項１】
伸縮自在の蛇腹形胴部（１ａ）と、一方の端部を閉鎖する底面部（１ｂ）と、他方の端部に設けられる広口の開口を有する開口端部（１ｃ）とからなり、内部に洗浄用薬剤（３）が保持される容器本体（１）と、
容器本体（１）の開口端部（１ｃ）に適合する取付部（２ａ）と、取付部（２ａ）の一端側を閉鎖し得るよう取付部（２ａ）と一体に成形され、使用時に浴槽（４）内から風呂釜内に通じる導水管（４０）の開口部に押し当てられる端面部（２ｂ）と、その端面部（２ｂ）より容器本体（１）とは反対側に突出して設けられる薬剤吐出ノズル（２ｃ）と、端面部（２ｂ）より容器本体（１）側に設けられ、逆止弁なく容器内部に通じ、薬剤が通過しない程度の大きさの通水孔（２ｅ）とを具備するキャップ（２）と、
からなる逆止弁を有しない循環式風呂釜洗浄薬剤容器。
【請求項２】
容器本体（１）の開口端部（１ｃ）が、短い円筒形の差込部（１ｄ）を有し、キャップ（２）の取付部（２ａ）がこの差込部（１ｄ）を受容する内外二重の円筒部材からなり、通水孔が通水用スリット（２ｅ）であり、キャップ（２）の端面部（２ｂ）に窪みを設けて導水路（２ｄ）とし、その容器本体（１）寄りに通水用スリット（２ｅ）が設けられる請求項１に記載の逆止弁を有しない循環式風呂釜洗浄薬剤容器。
【請求項３】
キャップ（２）が、キャップ（２）と一体的に、且つ、キャップ（２）に開閉自在に取り付けられ、薬剤吐出ノズル（２ｃ）の開口と、導水路（２ｄ）の開口とを閉鎖し得る蓋部（２ｆ）を具備する請求項２に記載の逆止弁を有しない循環式風呂釜洗浄薬剤容器。
【発明の詳細な説明】
【０００１】
【発明の属する技術分野】
本発明は、浴槽内から風呂釜内に通じる導水管内に洗浄薬剤を送り込むために用いられる循環式風呂釜洗浄薬剤容器に関する。
【０００２】
【従来の技術】
循環式風呂釜の導水管内には汚れが付着しやすく、これを放置しておくと加熱効率が悪くなるほか、不衛生であるので、定期的に洗浄しなければならない。
このような導水管内を洗浄する方法としては、導水管内に洗浄効果のある薬剤を送り込み、薬剤の作用で汚れを導水管内壁から剥離させて除去するものがある。
本出願人は、特願平7-57133において、薬剤を導水管内に送り込むための薬剤容器を開示した。
この薬剤容器は、蛇腹胴部を有し、容器本体の開口部にキャップを被せたものであり、このキャップの端面中央に薬剤吐出ノズルと、側面にキャップ内部への流体の吸入は許すが逆流を阻止する逆止弁が設けられている。
【０００３】
しかしながら、この容器本体の開口部の径はキャップのものより小さい上、その開口部とキャップの薬剤吐出ノズルとの間には距離があり、容器本体から吐出された薬剤は、一度キャップ内に留まった後、薬剤吐出ノズルから吐出されるので、一度のポンピングで少量の薬剤しか吐出できず、容器本体内に保持されている薬剤を完全に吐出するには10〜15回程度の多数回に渡るポンピングが必要であり、手間がかかったという問題があった。
また、キャップが大きいのでかさばるという問題もあった。
【０００４】
また、この従来の薬剤容器は、その容器本体の開口部に内キャップが取り付けられており、使用時にはキャップを外し、内キャップを外した上で再びキャップをしなければならず、手間がかかるという問題があった。
また、この薬剤容器は、内キャップや逆支弁など、部品数が多く、構成が複雑で製造コストがかかるという問題があった。
【０００５】
【発明が解決しようとする課題】
本発明は、上記の問題を解決するためなされたものであり、その目的は、その目的は、構造が簡単でコンパクトであり、２〜５回の少ないポンピングで薬剤をすべて吐出できる低コストな循環式風呂釜洗浄薬剤容器を提供することにある。
【０００６】
【課題を解決するための手段】
上記の目的は、
伸縮自在の蛇腹形胴部と、一方の端部を閉鎖する底面部と、他方の端部に設けられる広口の開口を有する開口端部とからなり、内部に洗浄用薬剤が保持される容器本体と、
容器本体の開口端部に適合する取付部と、取付部の一端側を閉鎖し得るよう取付部と一体に成形され、使用時に浴槽内から風呂釜内に通じる導水管の開口部に押し当てられる端面部と、その端面部より容器本体とは反対側に突出して設けられる薬剤吐出ノズルと、端面部より容器本体側に設けられ、逆止弁なく容器内部に通じ、薬剤が通過しない程度の大きさの通水孔とを具備するキャップと、
からなる逆止弁を有しない循環式風呂釜洗浄薬剤容器によって達成される。
【０００７】
【発明の実施の形態】
以下、図面に基づき、本発明を詳細に説明する。
図１は本発明に係る循環式風呂釜洗浄薬剤容器の一実施例の側面図、図２は図１に示した循環式風呂釜洗浄薬剤容器であって、キャップの蓋部の開放状態を示す部分断面立体構成図、図３は図１に示したキャップの側断面図、図４は図３に示したキャップの上面図、図５は図３に示したキャップの下面図、図６は図２に示したキャップの上面図、図７は図１に示した循環式風呂釜洗浄薬剤容器の使用状態を示す側断面図である。
【０００８】
図中、１は容器本体、２はキャップ、３は薬剤、４は浴槽、４０は風呂釜の導水管である。
容器本体１は、図２に示したように、蛇腹形胴部１ａと、底面部１ｂと、開口端部１ｃとからなる。
蛇腹形胴部１ａは略円筒状であり、その中心軸に沿って圧縮可能で、手を離し圧縮を止めると圧縮前の形状に戻るものである。
底面部１ｂは、蛇腹形胴部１ａの一方の端部を閉鎖する。
開口端部１ｃは、蛇腹形胴部１ａの他方の端部に設けられ、その中央に広口の開口を構成する短円筒形の差込部１ｄを有する。
また、差込部１ｄは、その円筒外面の中程に、その中心軸と同軸に円筒外面上を周回する一条の突条１ｅを有する。
【０００９】
キャップ２は、図３ないし図５に示したように、二重円筒状の取付部２ａと、端面部２ｂと、薬剤吐出ノズル２ｃと、導水路２ｄと、通水用スリット２ｅと、蓋部２ｆとからなる。
端面部２ｂは、 後述する取付部２ａの一端側を閉鎖し得るよう取付部２ａと一体に成形される。
取付部２ａの要部は、外筒部２ａ−１と、内筒部２ａ−２からなる二重円筒体であり、外筒部２ａ−１には、突条２ａ−３を設け、内外筒部の間には要所にリブ２ａ−４を設けてある。
【００１０】
外筒部２ａ−１は、その内径が容器本体１の差込部１ｄの外径よりやや大きい円筒状のものである。
内筒部２ａ−２は、その外径が容器本体１の差込部１ｄ内に緊密にはまり得るものである。
外筒部２ａ−１及び内筒部２ａ−２は、間に容器本体１の差込部１ｄを受容し得るよう配置された状態で、上記したようにその一端側を閉鎖する端面部２ｂと一体に成形されている。
【００１１】
突条２ａ−３は、外筒部２ａ−１の開口縁近傍で、容器本体１の差込部１ｄに取り付けたときに、容器本体１の差込部１ｄに設けられた突条１ｅとかみ合う位置であって、外筒部２ａ−１の中心軸と同軸に円筒内面上を周回する同一円周上に、等間隔で例えば４条設けられる。
リブ２ａ−４は、外筒部２ａ−１及び内筒部２ａ−２で、端面部２ｂの内面からその中心軸方向に延びるよう、例えば４箇所に等間隔に配置されるものであり、キャップ２の外筒部２ａ−１及び内筒部２ａ−２の間に容器本体１の差込部１ｄが受容されるようキャップ２を容器本体１に取り付けたときに、リブ２ａ−４の、容器本体１側の端縁が容器本体１の差込部１ｄの端縁に当接するようになっている。
【００１２】
薬剤吐出ノズル２ｃは、端面部２ｂの中央に容器外方に突出するように設けられる。
導水路２ｄは、図２、図３及び図６に示したように、端面部２ｂに設けられた窪みであり、薬剤吐出ノズル２ｃ側の壁面が、二重円筒状の取付部２ａと同軸で、内筒部２ａ−２より内側に位置する円筒面であり、その円筒壁面の両側縁からキャップ２の外筒面方向に延びる壁面が、薬剤吐出ノズル２ｃの外側を通り、キャップ２の中心軸に平行で、互いに平行な平面上にある。
【００１３】
また、図２及び図６に示したように、導水路２ｄが設けられている部分の外筒部２ａ−１及び内筒部２ａ−２は、その容器本体側端縁から所要の位置で途切れ、その途切れた端縁の間が壁面で封止されており、図７に示したように、端面部２ｂを風呂釜の導水管の開口に押し当てたときに、導水路２ｄ内に浴槽内の水を導入できるようになっている。
通水用スリット２ｅは、導水路２ｄ内に、内筒部２ａ−２の容器本体側の端縁に沿って設けられ、容器内に外部から水を導入できるようになっている。
【００１４】
蓋部２ｆは、図２及び図６に示したように、外筒部２ａ−１の薬剤吐出ノズル２ｃ側端縁外縁に接続される形でキャップ２の取付部２ａと一体的に且つ開閉可能に設けられる。
この蓋部２ｆは、閉じたときに薬剤吐出ノズル２ｃの開口と、導水路２ｄの、内筒部２ａ−２の内側に画成される領域を閉鎖し得る階段状の板部２ｆ−１と、閉じたときに薬液吐出ノズル２ｃの開口に嵌まり得る円筒状の突出部２ｆ−２と、閉じたときに導水路２ｄの内筒部２ａ−２の内側に画成される開口に嵌まり得る突出部２ｆ−３とからなる。
【００１５】
以下、上記の循環式風呂釜洗浄薬剤容器の使用方法について説明する。
容器本体１内には、従来公知の風呂釜洗浄用の顆粒状の薬剤３が入れられ、その開口端部１ｃに蓋部２ｆが閉じた状態のキャップ２が嵌められる。
このとき、キャップ２に設けられている開口は、蓋部２ｆによって封止されているので、この容器を逆さにしても薬剤３が外部にこぼれ出ることはない。
この循環式風呂釜洗浄薬剤容器を使用するときは、図７に示したように、蓋部２ｆをいっぱいに開けて、開いた蓋部２ｆの先端が上方を向くように横に倒し、水が張られている浴槽４の壁面に設けられている導水管４０内に薬剤吐出ノズル２ｃの先端が入るよう、キャップ２の端面部２ｂを導水管４０の開口に押し当てる。
【００１６】
押し当てた状態のまま容器本体１の底面部１ｂを導水管４０方向に押圧し、押圧を止めるといったポンピング動作を数回、例えば３ないし５回行う。
容器本体１を押圧すると、容器内に保持されている薬剤３は、内部の空気及び侵入してきた水と共に導水管４０内に吐出される。
押圧していた手を離すと容器本体１が元の形状に戻るため、このとき、浴槽内の水が通水用スリット２ｅから容器内に吸い込まれる。
【００１７】
上記の薬剤容器では、容器内に保持されている薬剤３が導水管４０内に直接吐出されるので、途中で薬剤が容器内に滞留することがなく、スムーズに吐出が進み、３ないし５回程度の極めて少ない回数のポンピングによって容器内の薬剤３を全て吐出することができる。
また、単に蓋部を２ｆを開くだけですぐに使用可能となるので使いやすい。
また、容器内に無駄な空隙が少なくコンパクトであり、その構成も極めて単純である。
【００１８】
なお、本発明は上記の実施例に限定されるものではなく、例えば、容器本体とキャップの係合手段や、薬剤の種類はどのようなものであってもよく、また、蓋部は例えば粘着シールなどキャップの開口を塞ぐことができればどのようなものであってもよく、取り外し式の栓などであってもよい。
また、通水用スリットは、例えば細孔や、メッシュなど薬剤が通過しない程度の開口を有するものであれば、どのようなものであってもよい。
【００１９】
【発明の効果】
本発明は上記のように構成されるので本発明によるときは、構造が簡単でコンパクトで数回のポンピングで薬剤を吐出し得る低コストな循環式風呂釜洗浄薬剤容器を提供できる。
【図面の簡単な説明】
【図１】本発明に係る循環式風呂釜洗浄薬剤容器の一実施例の側面図である。
【図２】図１に示した循環式風呂釜洗浄薬剤容器であって、キャップの蓋部の開放状態を示す部分断面立体構成図である。
【図３】図１に示したキャップの側断面図である。
【図４】図３に示したキャップの上面図である。
【図５】図３に示したキャップの下面図である。
【図６】図２に示したキャップの上面図である。
【図７】図１に示した循環式風呂釜洗浄薬剤容器の使用状態を示す側断面図である。
【符号の説明】
１          容器本体
１ａ        蛇腹形胴部
１ｂ        底面部
１ｃ        開口端部
１ｄ        差込部
１ｅ        突条
２          キャップ
２ａ        取付部
２ａ−１    外筒部
２ａ−２    内筒部
２ａ−３    突条
２ａ−４    リブ
２ｂ        端面部
２ｃ        薬剤吐出ノズル
２ｄ        導水路
２ｅ        通水用スリット
２ｆ        蓋部
２ｆ−１    板部
２ｆ−２    突出部
２ｆ−３    突出部
３          薬剤
４          浴槽
４０        導水管
【図１】
0004492895.tif 000002
【図２】
0004492895.tif 000003
【図３】
0004492895.tif 000004
【図４】
0004492895.tif 000005
【図５】
0004492895.tif 000006
【図６】
0004492895.tif 000007
【図７】
0004492895.tif 000008